(57)【要約】【課題】アルミサッシのシーリングに用いられるカートリッジの内部のコーキング材の残留を抑える。【解決手段】円筒状の本体１１の一方の端部に傾斜部１２を形成する。傾斜部１２は本体１１から離れる方向へ傾斜する。傾斜部１２の略中央に突起部１３を形成する。突起部１３は、本体１１よりも小径の円筒状の連結部１３Ａと円錐状の先端部１３Ｂとを有し、本体１１の軸心ＡＸと同軸的である。本体１１において、傾斜部１２と反対側の端部１１Ａは開口しており、キャップ１０は中空に成型される。キャップ１０の内壁面に、襞部１４を本体１１の円周方向に沿って環状に形成する。襞部１４は、本体１１と傾斜部１２との境界部分に相当する位置に形成される第１の壁部１５と、傾斜部１２と突起部１３の連結部１３Ａが形成する段部近傍に形成された第２の壁部１６とを有する。【選択図】        図４
2004188365.tif 000002
【特許請求の範囲】
【請求項１】
円筒状の本体と、
前記本体の一方の端面に形成された突起部と、
前記本体の内壁面において、周方向に沿って環状に形成された第１の壁部とを備えることを特徴とするコーキング材注入器用キャップ。
【請求項２】
前記突起部の先端が円錐状に形成されていることを特徴とする請求項１に記載のコーキング材注入器用キャップ。
【請求項３】
前記突起部は、前記本体の軸心と同軸的に形成されることを特徴とする請求項２に記載のコーキング材注入器用キャップ。
【請求項４】
前記第１の壁部は、前記本体の内壁面において、前記本体の円筒部分と前記端面との境界に相当する位置に形成されることを特徴とする請求項１に記載のコーキング材注入器用キャップ。
【請求項５】
前記本体の内壁面において、前記端面と前記突起部が形成する段部の近傍に周方向に沿って環状に形成された第２の壁部を備えることを特徴とする請求項４に記載のコーキング材注入器用キャップ。
【発明の詳細な説明】
【０００１】
【発明の属する技術分野】
本発明は、シリコン等のコーキング材の注入器に用いられるキャップに関する。
【０００２】
【従来の技術】
従来、建築現場では、アルミサッシのシーリングを行うために、カートリッジ・ガンとよばれる器具を用いて、シリコン等のコーキング材を注入することが行われている。カートリッジ・ガンは、コーキング材が充填された円筒状のカートリッジがセットされるホルダと、カートリッジの一方の端部に取り付けられるキャップをカートリッジ内部に押し込むための剛性の線状部材と、線状部材を操作するハンドル部とを有する。ハンドル部を適宜操作すると、線状部材がカートリッジの軸心に沿って移動する。線状部材の移動に応じてキャップがカートリッジの内部に移動し、その結果、カートリッジ内のコーキング材が先端部から押し出される。
【０００３】
【発明が解決しようとする課題】
キャップは円筒状のカートリッジの本体に嵌合するよう円筒状を呈しており、その外径がカートリッジの内径よりもわずかに小さくなるよう成型される。従って、キャップがカートリッジ内部に押し込まれる際、カートリッジの内壁面とキャップの外周面の間のわずかな隙間からコーキング材がキャップの後側に漏れることがある。また、カートリッジの先端部の内壁面は、徐々に少量のコーキング材が押し出されるよう、他の部分に比べ小径に形成されている。しかしながら、上述のようにキャップはカートリッジ本体に嵌合するよう形成されているため、線状部材を介してキャップをカートリッジの先端部近傍まで移動させても、カートリッジの先端部分にコーキング材が残留してしまう。すなわち、コーキング材が未だ残留しているにもかかわらず、カートリッジを交換しなければならない。このように、従来のキャップを用いた場合、カートリッジ内にコーキング材が残留し無駄になるという問題があった。
【０００４】
本発明は以上の問題を解決するものであり、コーキング材注入器にセットされるカートリッジに充填されたコーキング材の残留が抑えられるキャップを提供することを目的とする。
【０００５】
【課題を解決するための手段】
本発明に係るコーキング材注入器用キャップは、円筒状の本体と、この本体の一方の端面に形成された突起部と、本体の内壁面において、周方向に沿って環状に形成された第１の壁部とを備えることを特徴とし、好ましくは、第１の壁部は、本体の内壁面において、本体の円筒部分と端面との境界に相当する位置に形成される。
【０００６】
好ましくは、突起部の先端が円錐状に形成され、また、突起部は、上述の本体の軸心と同軸的に形成される。
【０００７】
また、好ましくは、上述の本体の内壁面において、端面と突起部が形成する段部の近傍に周方向に沿って環状に形成された第２の壁部を備える。
【０００８】
【発明の実施の形態】
以下、本発明の実施の形態を図面を参照して説明する。
図１は、本発明に係る実施形態が適用されるコーキング材注入器用キャップの斜視図、図２は同キャップの側面図である。キャップ１０は円筒状の本体１１を有する。本体１１の一方の端部には傾斜部１２が形成されている。傾斜部１２は、本体１１から離れる方向へ傾斜している。傾斜部１２の略中央に突起部１３が形成されている。突起部１３は、本体１１よりも小径の円筒状の連結部１３Ａと、連結部１３Ａと連続して形成される円錐状の先端部１３Ｂとを有する。本体１１において、傾斜部１２と反対側の端部１１Ａは開口しており、キャップ１０は中空に成型されている。
【０００９】
図３は、キャップ１０を端部１１Ａ側から示す底面図であり、図４は図３の線ＩＶ−ＩＶ矢視断面図である。図３から明らかなように、突起部１３は本体１１の軸心ＡＸと同軸的に形成されている。キャップ１０の内壁面には、本体１１の円周方向に沿って環状に形成された襞部１４が設けられる。襞部１４は、キャップ１０の内壁面において、本体１１と傾斜部１２との境界部分に相当する位置に形成される第１の壁部１５と、傾斜部１２と突起部１３の連結部１３Ａが形成する段部近傍に形成された第２の壁部１６とを有する。図４から明らかなように、第１の壁部１５は、所定の角度で端部１１Ａ側に傾斜している。また、第２の壁部１６は、本体１１の軸心ＡＸに沿っており、所定の高さを有している。
【００１０】
キャップ１０は、可撓性を有する材料を以上のような形状に成型することにより得られる。
【００１１】
図５は、キャップ１０が装着されるカートリッジ２０をキャップ１０と共に示す斜視図である。カートリッジ２０は略円筒状を呈し、内部には例えばシリコンが充填される。カートリッジ２０の一方の端部２０Ａには押出口２１が形成されている。キャップ１０は、端部２０Ａと反対側の端部２０Ｂにおいて、突起部１３をカートリッジ２０の内側に位置づけて挿入される。キャップ１０が装着されたカートリッジ２０を、従来のカートリッジ・ガンのホルダに取り付け、カートリッジ・ガンのハンドルを適宜操作することにより、線状部材を介してキャップ１０はカートリッジ２０の内側へ押し込まれる。すなわち、キャップ１０はカートリッジ２０内を押出口２１へ向かって移動させられる。キャップ１０の移動に応じて、カートリッジ２０内のシリコンは押出口２１から押し出される。
【００１２】
図６は、キャップ１０がカートリッジ２０の端部２０Ａまで達した状態を示す断面図である。上述のように、キャップ１０の突起部１３の先端部１３Ｂは円錐状を呈している。従って、図６に示すように、キャップ１０が端部２０Ａまで達し、さらにキャップ１０の突起部１３の一部が端部２０Ａから露出する状態にまで押されると、端部２０Ａ近傍のシリコンは殆ど押し出される。
【００１３】
図６に示されるように、カートリッジ・ガンの線状部材３０において、キャップ１０に接する側には円板３１が形成されている。円板３１の径は、第１の壁部１５の端面により規定される円形の開口部の径よりも大きい。また、キャップ１０は上述のように可撓性を有している。従って、キャップ１０をカートリッジ２０の内側へ押し込む際、図６に示されるように、第１の壁部１５はその開口部が円板３１により遮蔽された状態で、先端部１３Ｂ側へ撓む。その結果、円板３１、第１の壁部１５、傾斜部１２、突起部１３により密閉される空間内の空気圧が、キャップ１０を膨張させるよう作用し、傾斜部１２と本体１１の境界の段部がカートリッジ２０の内壁面に密接した状態で、キャップ１０はカートリッジ２０の内部を移動する。従って、キャップ１０が移動する際、キャップ１０とカートリッジ２０の間からシリコンが漏れることが防止される。
【００１４】
また、第２の壁部１６を形成することにより、傾斜部１２と突起部１３の連結部１３Ａが形成する段部近傍が補強される。
【００１５】
以上のように、本実施形態によれば、カートリッジ２０に充填されたシリコンの残留が軽減される。
【００１６】
【発明の効果】
以上のように、本発明によれば、コーキング材注入器にセットされるカートリッジに充填されたコーキング材の残留が抑えられるコーキング材注入器用キャップが得られる。
【図面の簡単な説明】
【図１】本発明に係る実施形態が適用されるコーキング材注入器用キャップの斜視図である。
【図２】コーキング材注入器用キャップの側面図である。
【図３】コーキング材注入器用キャップの底面図である。
【図４】コーキング材注入器用キャップの断面図である。
【図５】コーキング材注入器用キャップとカートリッジの側面図である。
【図６】キャップがカートリッジの端部まで達した状態を示す断面図である。
【符号の説明】
１０  キャップ
１１  本体
１２  傾斜部
１３  突起部
１４  襞部
１５  第１の壁部
１６  第２の壁部
【図１】
2004188365.tif 000003
【図２】
2004188365.tif 000004
【図３】
2004188365.tif 000005
【図４】
2004188365.tif 000006
【図５】
2004188365.tif 000007
【図６】
2004188365.tif 000008